(57)【要約】  送信機は、車両に設けられた複数の車輪のそれぞれに装着されるように構成され、かつ、トリガ機から送信されるトリガ信号に含まれる指令に応じた処理を行うように構成されている。送信機は、送信機の電力源となるバッテリと、送信機の状態を検出する状態検出部と、所定の受信強度以上の無変調波をトリガ信号として受信するように構成されたトリガ受信部と、信号を送信するように構成された送信部と、トリガ受信部によって無変調波が受信された場合に、当該無変調波に応答して送信部に信号を送信される応答送信を行うように構成された制御部と、無変調波の受信時間、及び、応答送信の回数の少なくとも一方を記憶するように構成された記憶部と、を備える。
2019111330.tif 000002
【特許請求の範囲】
【請求項１】
車両に設けられた複数の車輪のそれぞれに装着されるように構成され、かつ、トリガ機から送信されるトリガ信号に含まれる指令に応じた処理を行うように構成された送信機であって、
前記送信機は、
前記送信機の電力源となるバッテリと、
前記送信機の状態を検出するように構成された状態検出部と、
所定の受信強度以上の無変調波を前記トリガ信号として受信するように構成されたトリガ受信部と、
信号を送信するように構成された送信部と、
前記トリガ受信部によって前記無変調波が受信された場合に、当該無変調波に応答して前記送信部に前記信号を送信される応答送信を行うように構成された制御部と、
前記無変調波の受信時間、及び、前記応答送信の回数の少なくとも一方を記憶するように構成された記憶部と、を備える送信機。
【請求項２】
前記記憶部には少なくとも前記無変調波の受信時間が記憶され、
前記制御部は、
前記記憶部に記憶された前記無変調波の受信時間から、受信された前記無変調波を前記トリガ信号とみなすか否かを判定するように構成された請求項１に記載の送信機。
【請求項３】
前記記憶部には少なくとも前記応答送信の回数が記憶され、
前記制御部は、
前記記憶部に記憶された前記応答送信の回数から、受信された前記無変調波を前記トリガ信号とみなすか否かを判定するように構成された請求項１又は請求項２に記載の送信機。
【請求項４】
前記車両の走行と停止とを検出するように構成された走行検出部を備え、
前記制御部は、
前記車両の停止中に前記トリガ受信部によって受信された前記無変調波を前記トリガ信号とみなすか否かを判定するように構成され、
前記車両の停止中に前記トリガ受信部によって受信された前記無変調波を前記トリガ信号とみなさないと判定した後に前記車両の走行が検出されると、前記車両に搭載された受信機に前記送信部から前記信号を送信させるように構成され、
当該信号には、前記車両の停止中に受信された前記無変調波を前記トリガ信号とみなさないことを前記受信機に認識させるためのデータが含まれている請求項１〜請求項３のうちいずれか一項に記載の送信機。
【請求項５】
前記記憶部には少なくとも前記応答送信の回数が記憶され、
前記制御部は、
前記状態検出部の検出結果に対して設定された所定条件が成立した場合、前記応答送信の回数、又は、前記無変調波を前記トリガ信号とみなさないと判定した回数を含んだ前記信号を前記車両に搭載された受信機に向けて前記送信部から送信させるように構成された請求項１に記載の送信機。
【請求項６】
前記トリガ受信部は、変調波のトリガ信号を受信可能であり、
前記記憶部には少なくとも前記応答送信の回数が記憶され、
前記制御部は、
前記トリガ受信部によって受信された前記変調波のトリガ信号に応答して、前記応答送信の回数、又は、前記無変調波を前記トリガ信号とみなさないと判定した回数を含んだ前記信号を前記トリガ機、及び、前記車両に搭載された受信機のうち少なくとも一方に向けて前記送信部から送信させるように構成された請求項１に記載の送信機。
【請求項７】
車両に設けられた複数の車輪のそれぞれに装着されるように構成され、かつ、トリガ機から送信されるトリガ信号に含まれる指令に応じた処理を行うように構成された送信機と、前記車両に搭載された受信機と、を備えたタイヤ状態監視装置であって、
前記送信機は、
前記送信機の電力源となるバッテリと、
前記送信機の状態を検出するように構成され状態検出部と、
所定の受信強度以上の無変調波を前記トリガ信号として受信するように構成されたトリガ受信部と、
信号を送信するように構成された送信部と、
前記トリガ受信部によって前記無変調波が受信された場合に、当該無変調波に応答して前記送信部に前記信号を送信される応答送信を行うように構成された制御部と、
前記無変調波の受信時間、及び、前記応答送信の回数の少なくとも一方を記憶するように構成された記憶部と、
前記車両の走行を検出するように構成された走行検出部を備え、
前記制御部は、
前記車両の停止中に前記トリガ受信部によって受信された前記無変調波を前記トリガ信号とみなすか否かを判定するように構成され、
前記車両の停止中に前記トリガ受信部によって受信された前記無変調波を前記トリガ信号とみなさないと判定した後に前記車両の走行が検出されると、前記受信機に前記送信部から前記信号を送信させるように構成され、
当該信号には、前記車両の停止中に受信された前記無変調波を前記トリガ信号とみなさないことを前記受信機に認識させるためのデータが含まれており、
前記受信機は、
前記送信部から送信される信号を受信するように構成された受信部と、
前記受信機の制御を行うように構成された受信制御部と、を備え、
前記受信制御部は、
前記信号を受信すると、前記信号に含まれる前記データを車両に設けられた車両記憶部に記憶するように構成されたタイヤ状態監視装置。
【請求項８】
車両に設けられた複数の車輪のそれぞれに装着されるように構成され、かつ、トリガ機から送信されるトリガ信号に含まれる指令に応じた処理を行うように構成された送信機と、前記車両に搭載された受信機と、を備えたタイヤ状態監視装置であって、
前記送信機は、
前記送信機の電力源となるバッテリと、
前記送信機の状態を検出するように構成された状態検出部と、
所定の受信強度以上の無変調波を前記トリガ信号として受信するように構成されたトリガ受信部と、
信号を送信するように構成された送信部と、
前記トリガ受信部によって前記無変調波が受信された場合に、当該無変調波に応答して前記送信部に前記信号を送信される応答送信を行うように構成された制御部と、
前記応答送信の回数を記憶するように構成された記憶部を備え、
前記制御部は、
前記状態検出部の検出結果に対して設定された所定条件が成立した場合、前記応答送信の回数、又は、前記無変調波を前記トリガ信号とみなさないと判定した回数を含んだ前記信号を前記受信機に向けて前記送信部から送信させるように構成され、
前記受信機は、
前記送信部から送信される信号を受信するように構成された受信部と、
前記受信機の制御を行うように構成された受信制御部と、を備え、
前記受信制御部は、
前記信号を受信すると、前記信号に含まれる前記応答送信の回数、又は、前記無変調波を前記トリガ信号とみなさないと判定した回数を車両に設けられた車両記憶部に記憶するように構成されたタイヤ状態監視装置。
【発明の詳細な説明】
【技術分野】
【０００１】
本発明は、送信機、及び、タイヤ状態監視装置に関する。
【背景技術】
【０００２】
複数の車輪を備える車両に設けられたタイヤ状態監視装置が、例えば、特許文献１に記載されている。特許文献１に記載のタイヤ状態監視装置は、車輪に装着された送信機と、受信機と、を備える。【０００３】
送信機は、タイヤの圧力を検出する圧力センサと、送信部と、送信機を制御する制御部と、送信機の電力源となるバッテリと、を備える。送信部は、信号を送信する。信号としては、例えば、圧力センサによって検出された検出結果を含んだ信号が挙げられる。送信機は、受信機に定期的に信号を送信している。【０００４】
また、送信機は、トリガ機から送信されるトリガ信号を受信可能であるトリガ受信部を備える。トリガ信号は、送信機に外部から指令を与えるときに、トリガ機から送信される。トリガ信号は、例えば、任意のタイミングで送信機から信号を送信させたい場合や、送信機のモードを変更したい場合などに送信機に送信される。トリガ受信部によってトリガ信号が受信されると、制御部は、指令に応じた制御を行う。トリガ受信部によりトリガ信号が受信されると、制御部は、トリガ信号の受信に応答して、送信部から信号を送信させる応答送信を行う。これにより、トリガ機は、トリガ受信部によってトリガ信号が受信されたことを認識することができる。【０００５】
トリガ信号としては、無変調波のものと、変調波のものがある。送信機が無変調波のトリガ信号に対応している場合、トリガ受信部は、所定の受信強度以上の無変調波をトリガ信号として受信する。
【先行技術文献】
【特許文献】
【０００６】
【特許文献１】特開２０１４−９１３４４号公報
【発明の概要】
【発明が解決しようとする課題】
【０００７】
送信機は、車両の移動とともに移動する。このため、送信機の周辺環境は、車両の移動とともに変化する。周辺環境によっては、トリガ信号の周波数帯と同一、あるいはトリガ信号の周波数帯に近似した周波数帯の無変調波が送信されている場合がある。この無変調波がトリガ受信部によって受信されると、送信部からは、これに応答して信号が送信される。したがって、周辺環境によっては、送信機はトリガ信号とは異なる無変調波をトリガ信号として誤認して、これによって繰り返し応答送信が行われることになる。すると、バッテリの消費電力が増大する。【０００８】
バッテリの容量は、予め定められた期間以上、送信機を駆動できるように定められている。例えば、バッテリの容量は、送信機を駆動するのに要する電力を考慮した上で、１０年以上、尽きないように定められている。しかしながら、このようにバッテリの容量を定めているにも関わらず、予め定められた期間未満でバッテリの容量が尽きる場合がある。この場合、無変調波に対する応答送信によりバッテリの電力が過度に消費されている、あるいは、バッテリ自体の不具合によりバッテリの寿命が短くなっていることが想定される。バッテリの寿命が短くなった原因を特定するため、送信機には無変調波を受信したことによるバッテリへの影響を調査できることが望まれている。【０００９】
本発明の目的は、無変調波の受信によるバッテリへの影響を調査できる送信機、及び、タイヤ状態監視装置を提供することにある。
【課題を解決するための手段】
【００１０】
上記課題を解決するため、本発明の第一の態様によれば、車両に設けられた複数の車輪のそれぞれに装着されるように構成され、かつ、トリガ機から送信されるトリガ信号に含まれる指令に応じた処理を行うように構成された送信機が提供される。前記送信機は、前記送信機の電力源となるバッテリと、前記送信機の状態を検出する状態検出部と、所定の受信強度以上の無変調波を前記トリガ信号として受信するように構成されたトリガ受信部と、信号を送信するように構成された送信部と、前記トリガ受信部によって前記無変調波が受信された場合に、当該無変調波に応答して前記送信部に前記信号を送信される応答送信を行うように構成された制御部と、前記無変調波の受信時間、及び、前記応答送信の回数の少なくとも一方を記憶するように構成された記憶部と、を備える。【００１１】
これによれば、記憶部に記憶されたデータに基づき、応答送信による電力消費によるバッテリへの影響を把握できる。例えば、無変調波の受信時間や、応答送信の回数が多ければ、無変調波の受信によるバッテリの寿命への影響が大きいといえる。このように、記憶部に無変調波の受信時間、及び、応答送信の回数の少なくとも一方を記憶することで、無変調波の受信によるバッテリへの影響を調査できる。【００１２】
上記送信機について、前記記憶部には少なくとも前記無変調波の受信時間が記憶される。前記制御部は、前記記憶部に記憶された前記無変調波の受信時間から、受信された前記無変調波を前記トリガ信号とみなすか否かを判定するように構成されていてもよい。【００１３】
これによれば、無変調波の受信時間から、無変調波をトリガ信号とみなすか否かを判定することができる。
上記送信機について、前記記憶部には少なくとも前記応答送信の回数が記憶される。前記制御部は、前記記憶部に記憶された前記応答送信の回数から、受信された前記無変調波を前記トリガ信号とみなすか否かを判定するように構成されていてもよい。【００１４】
これによれば、応答送信の回数から、無変調波をトリガ信号とみなすか否かを判定することができる。
上記送信機は、前記車両の走行と停止とを検出するように構成された走行検出部を備える。前記制御部は、前記車両の停止中に前記トリガ受信部によって受信された前記無変調波を前記トリガ信号とみなすか否かを判定するように構成され、前記車両の停止中に前記トリガ受信部によって受信された前記無変調波を前記トリガ信号とみなさないと判定した後に前記車両の走行が検出されると、前記車両に搭載された受信機に前記送信部から前記信号を送信させるように構成されている。当該信号には、前記車両の停止中に受信された前記無変調波を前記トリガ信号とみなさないことを前記受信機に認識させるためのデータが含まれていてもよい。【００１５】
これによれば、トリガ受信部が、車両の停止中にトリガ信号とは異なる無変調波をトリガ信号と誤認して受信すると、制御部は、受信された無変調波はトリガ信号とみなさないと判定する。そして、その旨を受信機に認識させるためのデータを含んだ信号が受信機に向けて送信される。ここで、車両は、機器の故障などのデータを診断データとして記憶する機能を備える。上記したデータを含んだ信号を受信機に送信することで、トリガ信号とみなされない無変調波を受信したことが診断データとして記憶される。診断データは、スキャンツールを用いて読み取ることができる。診断データから、無変調波の受信によるバッテリへの影響を調査することができる。【００１６】
上記送信機について、前記記憶部には少なくとも前記応答送信の回数が記憶される。前記制御部は、前記状態検出部の検出結果に対して設定された所定条件が成立した場合、前記応答送信の回数、又は、前記無変調波を前記トリガ信号とみなさないと判定した回数を含んだ前記信号を前記車両に搭載された受信機に向けて前記送信部から送信させるように構成されていてもよい。【００１７】
これによれば、応答送信の回数、又は、無変調波をトリガ信号とみなさないと判定した回数が診断データとして記憶される。診断データから、無変調波の受信によるバッテリへの影響を調査することができる。【００１８】
上記送信機について、前記トリガ受信部は、変調波のトリガ信号を受信可能である。前記記憶部には少なくとも前記応答送信の回数が記憶される。前記制御部は、前記トリガ受信部によって受信された前記変調波のトリガ信号に応答して、前記応答送信の回数、又は、前記無変調波を前記トリガ信号とみなさないと判定した回数を含んだ前記信号を前記トリガ機、及び、前記車両に搭載された受信機のうち少なくとも一方に向けて前記送信部から送信させるように構成されていてもよい。【００１９】
これによれば、トリガ機に向けて信号が送信されると、トリガ機を用いて、応答送信の回数、又は、無変調波をトリガ信号とみなさないと判定した回数を把握できる。受信機に向けて信号が送信されると、応答送信の回数、又は、無変調波をトリガ信号とみなさないと判定した回数が診断データとして記憶される。したがって、無変調波の受信によるバッテリへの影響を調査することができる。【００２０】
上記課題を解決するため、本発明の第二の態様によれば、車両に設けられた複数の車輪のそれぞれに装着されるように構成され、かつ、トリガ機から送信されるトリガ信号に含まれる指令に応じた処理を行うように構成された送信機と、前記車両に搭載された受信機と、を備えたタイヤ状態監視装置が提供される。前記送信機は、前記送信機の電力源となるバッテリと、前記送信機の状態を検出するように構成され状態検出部と、所定の受信強度以上の無変調波を前記トリガ信号として受信するように構成されたトリガ受信部と、信号を送信するように構成された送信部と、前記トリガ受信部によって前記無変調波が受信された場合に、当該無変調波に応答して前記送信部に前記信号を送信される応答送信を行うように構成された制御部と、前記無変調波の受信時間、及び、前記応答送信の回数の少なくとも一方を記憶するように構成された記憶部と、前記車両の走行を検出するように構成された走行検出部を備える。前記制御部は、前記車両の停止中に前記トリガ受信部によって受信された前記無変調波を前記トリガ信号とみなすか否かを判定するように構成される。前記車両の停止中に前記トリガ受信部によって受信された前記無変調波を前記トリガ信号とみなさないと判定した後に前記車両の走行が検出されると、前記受信機に前記送信部から前記信号を送信させるように構成される。当該信号には、前記車両の停止中に受信された前記無変調波を前記トリガ信号とみなさないことを前記受信機に認識させるためのデータが含まれている。前記受信機は、前記送信部から送信される信号を受信するように構成された受信部と、前記受信機の制御を行うように構成された受信制御部と、を備え、前記受信制御部は、前記信号を受信すると、前記信号に含まれる前記データを車両に設けられた車両記憶部に記憶するように構成されていてもよい。【００２１】
これによれば、車両の停止中に受信された無変調波をトリガ信号とみなさないことを受信機に認識させるためのデータが、診断データとして車両記憶部に記憶される。診断データから、無変調波の受信によるバッテリへの影響を調査することができる。【００２２】
上記課題を解決するため、本発明の第三の態様によれば、車両に設けられた複数の車輪のそれぞれに装着されるように構成され、かつ、トリガ機から送信されるトリガ信号に含まれる指令に応じた処理を行うように構成された送信機と、前記車両に搭載された受信機と、を備えたタイヤ状態監視装置が提供される。前記送信機は、前記送信機の電力源となるバッテリと、前記送信機の状態を検出するように構成された状態検出部と、所定の受信強度以上の無変調波を前記トリガ信号として受信するように構成されたトリガ受信部と、信号を送信するように構成された送信部と、前記トリガ受信部によって前記無変調波が受信された場合に、当該無変調波に応答して前記送信部に前記信号を送信される応答送信を行うように構成された制御部と、前記応答送信の回数を記憶するように構成された記憶部を備える。前記制御部は、前記状態検出部の検出結果に対して設定された所定条件が成立した場合、前記応答送信の回数、又は、前記無変調波を前記トリガ信号とみなさないと判定した回数を含んだ前記信号を前記受信機に向けて前記送信部から送信させるように構成される。前記受信機は、前記送信部から送信される信号を受信するように構成された受信部と、前記受信機の制御を行うように構成された受信制御部と、を備える。前記受信制御部は、前記信号を受信すると、前記信号に含まれる前記応答送信の回数、又は、前記無変調波を前記トリガ信号とみなさないと判定した回数を車両に設けられた車両記憶部に記憶するように構成されていてもよい。【００２３】
これによれば、応答送信の回数、又は、無変調波をトリガ信号とみなさないと判定した回数が、診断データとして車両記憶部に記憶される。診断データから、無変調波の受信によるバッテリへの影響を調査することができる。
【発明の効果】
【００２４】
本発明によれば、無変調波の受信によるバッテリへの影響を調査できる。
【図面の簡単な説明】
【００２５】
【図１】タイヤ状態監視装置、及びトリガ機の概略図。
【図２】送信機、及びトリガ機の概略構成図。
【図３】（ａ）は無変調波のトリガ信号を示す概略図、（ｂ）は変調波のトリガ信号を示す概略図。
【図４】トリガ受信部の概略図。
【図５】無変調波と応答送信との関係を示す図。
【図６】受信機に送信される信号のフレームフォーマットの一例を示す図。
【図７】トリガ機に送信される信号のフレームフォーマットの一例を示す図。
【図８】受信機に送信される信号のフレームフォーマットの一例を示す図。
【発明を実施するための形態】
【００２６】
（第１実施形態）
以下、送信機、及び、タイヤ状態監視装置の第１実施形態について説明する。
図１に示すように、タイヤ状態監視装置２０は、車両１０の４つの車輪１１にそれぞれ装着されるように構成された送信機２１と、車両１０に設置される受信機４０とを備える。
【００２７】
各車輪１１は、ホイール１２と、ホイール１２に装着されたタイヤ１３とを備える。送信機２１としては、タイヤバルブに固定された送信機や、ホイール１２やタイヤ１３に固定された送信機が用いられる。
【００２８】
車両１０は、図では１つのみ図示されているが、複数のＥＣＵ（電子制御ユニット）１４を備える。車両１０のＥＣＵ１４は、車両１０のセンサ類や、アクチュエータなどの機器の故障判断を行う自己診断機能を備える。車両１０は、ＥＣＵ１４の自己判断機能によって機器の故障が検出されると、機器の故障情報を診断データとして記憶するように構成された車両記憶部１５を備える。車両記憶部１５に記憶された診断データは、スキャンツールを用いることで読み取り可能である。
【００２９】
送信機２１は、タイヤ１３の内部空間に配置されるように、車輪１１に取り付けられている。送信機２１は、対応するタイヤ１３の状態、例えば、タイヤ１３の空気圧やタイヤ１３内の温度を検出して、検出結果を含む信号を受信機４０に無線送信する。タイヤ状態監視装置２０は、送信機２１から送信される信号を受信機４０で受信して、タイヤ１３の状態を監視する。
【００３０】
図２に示すように、送信機２１は、圧力センサ２２、温度センサ２３、加速度センサ２４、送信機用制御部２５、送信回路２６、送信アンテナ２８、受信アンテナ２９、バッテリ３０、及びトリガ受信部６０を備える。
【００３１】
圧力センサ２２は、対応するタイヤ１３の圧力（空気圧）を検出する。圧力センサ２２は、検出結果を送信機用制御部２５に出力する。温度センサ２３は、対応するタイヤ１３内の温度を検出する。温度センサ２３は、検出結果を送信機用制御部２５に出力する。
【００３２】
加速度センサ２４は、車輪１１と一体となって回転することで、送信機２１に作用する遠心加速度を検出する。送信機２１に作用する遠心加速度は、車輪１１に作用する遠心加速度ともいえる。加速度センサ２４は、検出結果を送信機用制御部２５に出力する。
【００３３】
電圧センサ２７は、バッテリ３０の電圧（バッテリ３０の両端電圧）を検出する。電圧センサ２７は、検出結果を送信機用制御部２５に出力する。本実施形態において、加速度センサ２４、及び、電圧センサ２７が送信機２１の状態を検出する状態検出部を構成する。
【００３４】
制御部としての送信機用制御部２５は、ＣＰＵ２５ａ及び記憶部２５ｂ（ＲＡＭやＲＯＭ等）を含むマイクロコンピュータ等の回路（circuitry）よりなる。送信機用制御部２５は、計時機能を備える。記憶部２５ｂには、各送信機２１の固有の識別情報であるＩＤコードが登録されている。また、記憶部２５ｂには、送信機２１を制御するための種々のプログラムが記憶されている。本実施形態の記憶部２５ｂは、不揮発性メモリである。
【００３５】
送信機用制御部２５は、各種処理のうち少なくとも一部の処理を実行する専用のハードウェア（特定用途向け集積回路：ＡＳＩＣ）を備えてもよい。すなわち、送信機用制御部２５は、１）コンピュータプログラム（ソフトウェア）に従って動作する１つ以上のプロセッサ、２）ＡＳＩＣ等の１つ以上の専用のハードウェア回路、或いは３）それらの組み合わせを含む回路（circuitry）として構成し得る。プロセッサは、ＣＰＵ、並びに、ＲＡＭ及びＲＯＭ等のメモリを含む。メモリは、処理をＣＰＵに実行させるように構成されたプログラムコードまたは指令を格納している。メモリすなわちコンピュータ可読媒体は、汎用または専用のコンピュータでアクセスできるあらゆる利用可能な媒体を含む。
【００３６】
送信機用制御部２５は、データを生成し、送信回路２６に出力する。送信部としての送信回路２６は、送信機用制御部２５からのデータを変調して信号（ＲＦ（Radio Frequency）信号）を生成し、送信アンテナ２８から送信する。例えば、送信機用制御部２５は、圧力センサ２２の検出結果及び温度センサ２３の検出結果であるタイヤ状態（タイヤ空気圧やタイヤ内温度）やＩＤコードを含むデータを生成し、このデータを含む信号であるデータ信号を送信する。データ信号は、所定の送信間隔毎に送信される。
【００３７】
送信機用制御部２５は、加速度センサ２４の検出結果から車両１０が走行しているか否かを判定する。車輪１１に作用する遠心加速度は、車両１０の速度が上昇するにつれて大きくなる。送信機用制御部２５は、加速度センサ２４によって検出される遠心加速度が予め定められた閾値以上となると、車両１０が走行していると判断する。閾値としては、車両１０が停止しているときに検出される遠心加速度よりも大きな値が設定される。本実施形態では、加速度センサ２４が走行検出部として機能する。
【００３８】
送信機用制御部２５は、加速度センサ２４によって検出される遠心加速度が閾値以上の場合、加速度センサ２４によって検出される遠心加速度が閾値未満の場合に比べて、データ信号の送信間隔を短くする。これにより、車両１０の走行中には、車両１０の停止中に比べて、データ信号が送信される頻度が多くなる。
【００３９】
バッテリ３０は、送信機２１の電力源となる。バッテリ３０は、一次電池であってもよいし、二次電池であってもよい。バッテリ３０の容量は、予め定められた期間以上、送信機２１を駆動できるように定められている。本実施形態において、バッテリ３０の容量は、送信機２１を駆動するのに要する電力を考慮した上で、１０年以上、尽きないように定められている。なお、送信機２１を駆動するのに要する電力は、主として送信回路２６から信号を送信するのに要する電力である。
【００４０】
図１に示すように、受信機４０は、受信機用制御部４１と、受信機用受信回路４２と、受信アンテナ４３とを備える。受信制御部としての受信機用制御部４１には、警報器４４が接続されている。受信機用制御部４１は、受信機用ＣＰＵ４１ａ及び受信機用記憶部４１ｂ（ＲＯＭやＲＡＭ等）を含むマイクロコンピュータ等よりなる。
【００４１】
受信機用制御部４１は、各種処理のうち少なくとも一部の処理を実行する専用のハードウェア（特定用途向け集積回路：ＡＳＩＣ）を備えてもよい。すなわち、受信機用制御部４１は、１）コンピュータプログラム（ソフトウェア）に従って動作する１つ以上のプロセッサ、２）ＡＳＩＣ等の１つ以上の専用のハードウェア回路、或いは３）それらの組み合わせを含む回路（circuitry）として構成し得る。プロセッサは、ＣＰＵ、並びに、ＲＡＭ及びＲＯＭ等のメモリを含む。メモリは、処理をＣＰＵに実行させるように構成されたプログラムコードまたは指令を格納している。メモリすなわちコンピュータ可読媒体は、汎用または専用のコンピュータでアクセスできるあらゆる利用可能な媒体を含む。
【００４２】
受信部としての受信機用受信回路４２は、各送信機２１から受信アンテナ４３を介して受信されたデータ信号を復調して、受信機用制御部４１に出力する。
受信機用制御部４１は、送信機２１より送信されたデータ信号に含まれるデータから、タイヤ１３の状態を把握する。受信機用制御部４１は、タイヤ１３に異常が生じている場合、警報器（報知器）４４にて報知を行う。警報器４４としては、例えば、異常を光の点灯や点滅によって報知する装置や、異常を音によって報知する装置が用いられる。また、受信機用制御部４１は、車両１０の搭乗者が視認可能な表示器に、タイヤ１３の状態を表示してもよい。
【００４３】
送信機２１は、トリガ機５０から送信されるトリガ信号に応じて、種々の動作を行うことが可能である。トリガ信号としては、例えば、送信機２１に種々の情報を含んだ信号の送信を要求する信号、データ信号の送信間隔などの変更を要求する信号、送信機２１の記憶部２５ｂにＩＤコードの登録を要求する信号、送信機２１のソフトウェアを更新する信号などの信号が挙げられる。トリガ機５０は、例えば、送信機２１を製造する工場や送信機２１を車輪１１に装着する工場などの生産拠点や、ディーラーなどの整備施設に配備されている。
【００４４】
以下、トリガ機５０と送信機２１のトリガ受信部６０について詳細に説明する。
図１及び図２に示すように、トリガ機５０は、複数の操作部５１、トリガ機用送信回路５２、トリガ機用受信回路５３、表示部５４、トリガ機用制御部５５、トリガ機用送信アンテナ５６、及び、トリガ機用受信アンテナ５７を備える。各操作部５１は、使用者に操作される。トリガ機５０の使用者は、操作部５１を操作することで、送信機２１に要求する動作を指定することができる。操作部５１の操作に応じた動作を要求するトリガ信号がトリガ機５０から送信される。
【００４５】
操作部５１は、トリガ機用制御部５５に接続されている。トリガ機用制御部５５は操作部５１の操作に応じてデータを生成する。このデータには、送信機２１への指令であるコマンドオプションが含まれる。
【００４６】
トリガ機用制御部５５は、生成したデータをトリガ機用送信回路５２に出力する。トリガ機用送信回路５２は、データに応じたトリガ信号を生成する。トリガ信号は、トリガ機用送信アンテナ５６から送信される。
【００４７】
トリガ機用受信回路５３は、トリガ機用受信アンテナ５７を介して送信機２１から送信（返送）された信号（ＲＦ信号）を受信する。トリガ機用受信回路５３は信号を復調して、トリガ機用制御部５５に出力する。
【００４８】
ここで、トリガ機５０には、通信方式として、キャリアディテクトを採用したものと、テレグラムを採用したものとが存在している。キャリアディテクトとは、トリガ信号として無変調波を用いるものである。テレグラムとは、トリガ信号として変調波を用いるものである。
【００４９】
図３（ａ）に示すように、トリガ機５０がキャリアディテクトを採用している場合、トリガ信号としては、ＬＦ帯（例えば、１２５ｋＨｚ帯）の無変調波が用いられる。
図３（ｂ）に示すように、トリガ機５０がテレグラムを採用している場合、トリガ信号としては、ＬＦ帯（例えば、１２５ｋＨｚ帯）の変調波が用いられる。変調波のトリガ信号としては、例えば、合計７３ｂｉｔのデータを符号化することで得られたデジタル信号を変調したものが用いられる。符号化は、例えば、マンチェスター符号化方式によって行われる。変調は、例えば、ＡＳＫ（Amplitude Shift Keying）変調によって行われる。
【００５０】
上記した７３ｂｉｔのデータには、トリガ受信部６０にトリガ信号であることを認識させるための受信パターン（プリアンブル、同期ビット、及び、ウェイクアップＩＤを含むパターン）と、コマンドオプションが含まれる。受信パターンは、テレグラムによって定められており、常に同一である。コマンドオプションは、送信機２１に要求する動作によって異なる。コマンドオプションにより、操作部５１に応じた動作を送信機２１に要求することができる。なお、上記したデータは、７３ｂｉｔに限られず、他のデータ長であってもよい。
【００５１】
次に、送信機２１のトリガ受信部６０について説明する。
図４に示すように、トリガ受信部６０は、受信アンテナ２９に到来した信号のうち特定の周波数帯の信号のみを通過させるフィルタ６１と、フィルタ６１を通過した信号を増幅する増幅回路６２と、増幅された信号がトリガ信号か否かを判定する判定部（判定回路）６３と、を備える。
【００５２】
フィルタ６１は、例えば、ＬＦ帯（例えば、１２５ｋＨｚ帯）の信号の通過を許容することで、ノイズを除去する。増幅回路６２は、例えば、利得が可変である増幅器や、利得の異なる複数の増幅器で構成される。
【００５３】
本実施形態のトリガ受信部６０は、無変調波のトリガ信号であっても、変調波のトリガ信号であっても受信可能である。判定部６３は、第１判定部６６（第１判定機能）と、第２判定部６７（第２判定機能）と、を備える。
【００５４】
第１判定部６６は、無変調波の受信強度（ＲＳＳＩ：Received Signal Strength Indication）[ｄＢｍ]が所定の受信強度以上か否かを判定する。所定の受信強度は、予め定められた値であり、トリガ機５０の出力などに応じて定められている。第１判定部６６により、所定の受信強度以上と判定された無変調波は、無変調波のトリガ信号として受信されることになる。しかしながら、トリガ信号とは異なる無変調波であっても、所定の受信強度以上の無変調波であれば、トリガ信号として受信されるため、トリガ信号として受信される無変調波には、トリガ信号とは異なる無変調波が含まれるおそれがある。
【００５５】
第２判定部６７は、変調波（信号）に含まれる受信パターンが、予め定められた受信パターン（テレグラムで定められた受信パターン）と一致するかを判定する。信号に含まれる受信パターンが、予め定められた受信パターンと一致する信号を変調波のトリガ信号であると判定する。判定部６３は、第１判定部６６による判定と、第２判定部６７による判定を交互に繰り返す。これにより、判定部６３は、無変調波のトリガ信号であっても、変調波のトリガ信号であっても受信可能である。
【００５６】
判定部６３は、送信機用制御部２５にウェイクアップ信号を送る機能を備える。トリガ信号を受信する機会は僅かであるため、送信機用制御部２５は、ウェイクアップ信号を受け取るまでは、受信機能をオフすることで、省電力化を図っている。判定部６３は、所定の受信強度以上の無変調波が受信された場合、及び、予め定められた受信パターンと一致する変調波が受信された場合、ウェイクアップ信号を送る。送信機用制御部２５は、ウェイクアップ信号の受信を契機として、トリガ信号を取得する。これにより、送信機用制御部２５は、トリガ機５０から要求されている動作を認識する。なお、トリガ受信部６０における「受信」とは、トリガ信号に含まれるデータを送信機用制御部２５に受け取らせることをいう。
【００５７】
トリガ受信部６０がトリガ信号を受信した場合、送信機用制御部２５は、トリガ信号の受信に応答して、送信回路２６から信号を送信させる応答送信を行う。応答送信によって送信される信号は、トリガ信号を受信したことをトリガ機５０に通知するためのものである。
【００５８】
図５に示すように、所定の受信強度以上の無変調波がトリガ受信部６０によって受信された場合、送信機用制御部２５は、応答送信を行うことになる。
送信機用制御部２５は、トリガ受信部６０によって無変調波が受信されたときに、当該無変調波をトリガ信号とみなすか否かを判定する機能を備える。第１判定部６６によってトリガ信号として受信された無変調波について、トリガ信号とみなして処理を行うか否かの判定が行われる。送信機用制御部２５は、加速度センサ２４によって検出される遠心加速度が閾値未満の場合に受信した無変調波をトリガ信号とみなすか否かの判定を行う。
【００５９】
送信機用制御部２５は、無変調波が受信されると、無変調波の受信時間を測定する。記憶部２５ｂは、無変調波の受信時間を記憶する。送信機用制御部２５は、無変調波の受信時間が所定時間に達すると、受信した無変調波をトリガ信号とはみなさないと判定する。即ち、所定時間を超えて受信した無変調波については、その無変調波がトリガ信号か否かに関わらず、トリガ信号ではないとみなして制御を行う。一方で、送信機用制御部２５は、受信時間が所定時間に達しない無変調波については、トリガ信号とみなして制御を行う。
【００６０】
トリガ機５０によってトリガ信号を送信する場合、送信機２１からの応答送信を受信するか、予め定められた時間よりも長く応答送信を受信できないとトリガ信号の送信が停止される。上記した予め定められた時間よりも長い時間を所定時間として設定することで、トリガ信号ではないと想定される無変調波がトリガ信号として取り扱われることが抑制される。また、意図せず、トリガ機５０から連続的にトリガ信号が送信されており、当該トリガ信号が所定時間を超えて受信される場合も想定される。この場合、受信されたトリガ信号は、トリガ信号ではないとみなされるが、前述したように、トリガ信号が所定時間を超えて送信される状況は、トリガ機５０の使用者が意図していない状況と想定される。このため、仮に、所定時間を超えて受信した無変調波がトリガ信号であったとしても、当該トリガ信号をトリガ信号ではないとみなして処理を行っても送信機２１や、トリガ機５０の使用に支障は来さないと考えられる。したがって、無変調波をトリガ信号とみなすか否かの判定は、トリガ信号として受信した無変調波が異常か否かの判定ともいえる。
【００６１】
車両１０の停止中に所定時間を超えて無変調波を受信した場合、送信機用制御部２５は、次回の走行検出時にフラグを含んだ信号を送信回路２６から受信機４０に向けて送信させる。
【００６２】
図６に示すように、フラグを含んだ信号としては、例えば、データとして、ＩＤコード、フラグ、ステータスコード、及び、誤り検出符号を含んだ信号である。送信機用制御部２５は、フラグを含んだ信号を１回〜複数回送信する。
【００６３】
送信機用制御部２５は、車両１０の走行が検出される毎に、無変調波の受信時間を記憶部２５ｂから消去する。本実施形態では、無変調波の受信時間は、車両１０の周辺環境がトリガ信号とは異なる無変調波が送信されている環境か否かを判断するために用いられているといえる。
【００６４】
受信機用制御部４１は、受信機用受信回路４２によってフラグを含んだ信号が受信されると、送信機２１がトリガ信号とみなされない無変調波を受信したと判断する。したがって、フラグを含んだ信号は、送信機２１の受信した無変調波をトリガ信号とみなさないことを車両１０に搭載された受信機４０に認識させるためのデータ（フラグ）を含んだ信号であるといえる。
【００６５】
受信機用制御部４１は、フラグを含んだ信号を受信した回数を診断データとして、車両記憶部１５に記憶する。
次に、本実施形態の送信機２１の作用について説明する。
【００６６】
車両１０が走行して、停止した場合を想定する。車両１０の周辺環境によっては、トリガ信号と同一の周波数帯、あるいは、トリガ信号と近似した周波数帯の無変調波が送信され続けている場合がある。例えば、駐車場や、高速道路では、車両１０を検出するために１２５ｋＨｚ帯付近のＬＦ信号が出力されている場合がある。
【００６７】
トリガ受信部６０によってトリガ信号以外の無変調波がトリガ信号と誤認されると、送信機用制御部２５は、無変調波に応答して応答送信を行う。無変調波が受信され続けている間、応答送信によって間欠的に送信回路２６から信号が送信される。
【００６８】
無変調波を受信し続けると、送信機用制御部２５は、受信した無変調波をトリガ信号ではないとみなす。無変調波をトリガ信号ではないとみなせるほど長い期間にわたって無変調波が送信されている場合、当該無変長波は一時的ではなく、継続して送信されていると判断できる。即ち、送信機用制御部２５によって、受信した無変調波がトリガ信号ではないとみなされる場合、応答送信により送信回路２６から信号が送信され続けている周辺環境に車両１０が停止されているといえる。
【００６９】
車両１０が走行を再開すると、加速度センサ２４によって検出される遠心加速度が閾値以上となる。すると、送信機２１からはフラグを含んだ信号が送信される。これにより、受信機４０にフラグを含んだ信号が送信されることになる。
【００７０】
受信機４０がフラグを含んだ信号を受信した回数は、車両記憶部１５に記憶されている。このため、スキャンツールを用いることで、フラグを含んだ信号を受信した回数を把握することができる。フラグを含んだ信号を受信した回数は、言い換えれば、送信機２１が応答送信を繰り返し行う環境に晒された回数といえる。
【００７１】
バッテリ３０の容量が、１０年未満で尽きた場合、スキャンツールを用いてフラグを含んだ信号を受信した回数を調査する。前述したように、バッテリ３０の容量は、１０年以上、尽きないように定められている。バッテリ３０の寿命を短くする外部要因は、主として、トリガ信号と誤認した無変調波に対して応答送信を行うことだと考えられる。したがって、フラグを含んだ信号を受信したことがない場合や、フラグを含んだ信号を受信した回数が僅かであれば、バッテリ３０自体に不具合があると推測することができる。フラグを含んだ信号を受信した回数が過多であれば、トリガ信号とは異なる無変調波をトリガ信号と誤認して、繰り返し応答送信が行われたと判断できる。この場合、応答送信によりバッテリ３０の電力が浪費されており、バッテリ３０自体に不具合はないと推測することができる。
【００７２】
したがって、第１実施形態によれば、以下の効果を得ることができる。
（１−１）送信機用制御部２５は、記憶部２５ｂに無変調波の受信時間を記憶している。このデータに基づき、無変調波の受信がバッテリ３０の寿命に与える影響を調査できる。本実施形態では、記憶部２５ｂに記憶された無変調波の受信時間から、受信した無変調波をトリガ信号とみなすか否かを判定し、この結果が車両記憶部１５に記憶されることで無変調波の受信によるバッテリ３０への影響を調査できるようにしている。このように、記憶部２５ｂに無変調波の受信時間を記憶することで、無変調波の受信によるバッテリ３０への影響を調査することができる。
【００７３】
（１−２）記憶部２５ｂには、無変調波の受信時間が記憶されている。送信機用制御部２５は、記憶部２５ｂに記憶された無変調波の受信時間から、受信された無変調波をトリガ信号とみなすか否かを判定することができる。
【００７４】
（１−３）送信機用制御部２５は、フラグを含んだ信号を受信機４０に送信している。このため、車両記憶部１５にトリガ信号とみなされない無変調波を受信したことを記憶させることができる。車両記憶部１５に記憶されたデータは、スキャンツールを用いることで読み取り可能である。スキャンツールを用いることで、無変調波の受信によるバッテリ３０への影響を調査することができる。
【００７５】
また、記憶部２５ｂとして、揮発性メモリを使用しているため、バッテリ３０の寿命が尽きると、記憶部２５ｂに記憶されたデータは消去される。車両記憶部１５にフラグを含んだ信号を受信した回数を記憶することで、バッテリ３０の寿命が尽きた場合であっても、無変調波の受信によるバッテリ３０への影響を調査することができる。
【００７６】
（１−４）タイヤ状態監視装置２０は、フラグを含んだ信号を送信可能な送信機２１と、受信機４０とを備える。したがって、バッテリ３０の寿命が尽き、記憶部２５ｂのデータが消去された場合であっても、フラグを含んだ信号を受信機４０が受信したことを車両記憶部１５に記録できるシステムを構築できる。このため、無変調波の受信によるバッテリ３０の寿命への影響を調査することができる。
【００７７】
（第２実施形態）
次に、送信機、及び、タイヤ状態監視装置の第２実施形態について説明する。なお、第１実施形態と同様な部分については、その説明を簡略、あるいは、省略する。
【００７８】
送信機用制御部２５は、応答送信を行った回数を記憶部２５ｂに記憶する。なお、本実施形態において、記憶部２５ｂに記憶される応答送信の回数は、バッテリ３０（送信機２１）の使用を開始してからの累計である。
【００７９】
送信機用制御部２５は、所定条件が成立すると、記憶部２５ｂに記憶された応答送信の回数を含んだ信号を受信機４０に送信する。
図７に示すように、応答送信の回数を含んだ信号としては、例えば、データとして、ＩＤコード、応答送信の回数、ステータスコード、及び、誤り検出符号を含んだ信号である。送信機用制御部２５は、応答送信の回数を含んだ信号を１回〜複数回送信する。
【００８０】
所定条件は、送信機２１の状態を検出する状態検出部の検出結果に対して設定されている。本実施形態では、電圧センサ２７の検出結果に対して所定条件が設定されている。
送信機用制御部２５は、電圧センサ２７によって検出される電圧が、所定の電圧以下になると、応答送信の回数を含んだ信号を受信機４０に向けて送信する。バッテリ３０の電圧は、バッテリ３０の残容量の低下とともに低くなる。このため、バッテリ３０の電圧から、バッテリ３０の残容量、言い換えれば、バッテリ３０の残りの寿命を把握できる。所定の電圧とは、バッテリ３０の寿命が尽きるより若干前の電圧であり、かつ、送信回路２６から信号を送信可能な電圧に設定される。例えば、所定の電圧とは、バッテリ３０の残容量が５％〜１５％となったときの電圧に設定される。これにより、バッテリ３０の寿命が尽きるより若干前に、応答送信の回数を受信機４０に送信することができる。
【００８１】
受信機４０は、応答送信の回数を含んだ信号を受信すると、信号に含まれる応答送信の回数を診断データとして車両記憶部１５に記憶する。バッテリ３０の寿命が尽きる若干前に応答送信の回数を含んだ信号を送信することで、バッテリ３０の使用開始から、バッテリ３０の寿命が尽きるまでに応答送信を行った回数を送信していると捉えることができる。
【００８２】
次に、本実施形態の送信機２１の作用について説明する。
上記したように、車両記憶部１５には、バッテリ３０の使用開始からバッテリ３０の寿命が尽きるまでに応答送信を行った回数が記憶されている。この回数は、スキャンツールを用いることで読み取ることができる。
【００８３】
送信機２１にトリガ信号が送信されるのは、送信機２１の定期検査を行うときなど、限られた場合である。したがって、バッテリ３０の使用開始からバッテリ３０の寿命が尽きるまでに応答送信を行う回数は、僅かである。また、この回数は、予め推測することができる。
【００８４】
スキャンツールを用いて応答送信の回数を読み取った結果、応答送信の回数が過多であれば、送信機２１は、トリガ信号とは異なる無変調波をトリガ信号と誤認して受信したと推測することができる。
【００８５】
したがって、第２実施形態によれば、以下の効果を得ることができる。
（２−１）送信機用制御部２５は、所定条件の成立を契機として応答送信の回数を含んだ信号を送信している。応答送信の回数を含んだ信号を受信機４０に送信することで、応答送信の回数を診断データとして車両記憶部１５に記憶することができる。スキャンツールを用いて診断データを読み取ることで、トリガ信号とは異なる無変調波をトリガ信号と誤認して受信したことを調査できる。このため、無変調波の受信によりバッテリ３０の寿命に与えた影響を調査することができる。
【００８６】
（２−２）タイヤ状態監視装置２０は、応答送信の回数を含んだ信号を送信可能な送信機２１と、受信機４０とを備える。バッテリ３０の寿命が尽き、記憶部２５ｂのデータが消去された場合であっても、バッテリ３０の使用開始からバッテリ３０の寿命が尽きるまでに応答送信を行った回数を車両記憶部１５に記憶できるシステムを構築できる。このため、無変調波の受信によるバッテリ３０の寿命への影響を調査することができる。
【００８７】
（第３実施形態）
次に、第３実施形態の送信機、及び、タイヤ状態監視装置について説明する。なお、第１実施形態と同様な部分については、その説明を簡略、あるいは、省略する。
【００８８】
送信機用制御部２５は、記憶部２５ｂに応答送信の回数を記憶している。なお、本実施形態において、記憶部２５ｂに記憶される応答送信の回数は、バッテリ３０（送信機２１）の使用を開始してからの累計である。送信機用制御部２５は、変調波のトリガ信号に応答して、トリガ機５０に応答送信の回数を含んだ信号を送信する。
【００８９】
送信機用制御部２５は、応答送信の回数の返送を要求する指令を含んだトリガ信号がトリガ受信部６０によって受信された場合、応答送信の回数を含んだ信号をトリガ機５０に向けて送信する。この信号としては、第２実施形態における信号、即ち、図７に示すデータを含んだ信号と同様である。なお、受信機４０に送信される信号と、トリガ機５０に送信される信号とは、プロトコルが異なり、プリアンブルや同期ビットなどは異なるものとなる。
【００９０】
応答送信の回数を含んだ信号がトリガ機用受信回路５３によって受信されると、表示部５４に応答送信の回数が表示される。これにより、バッテリ３０の使用開始からバッテリ３０の寿命が尽きるまでに行った応答送信の回数をトリガ機５０で調査することができる。
【００９１】
第２実施形態と同様に、応答送信の回数から、送信機２１がトリガ信号とは異なる無変調波をトリガ信号と誤認して受信したか否かを判断できる。
したがって、第３実施形態によれば、以下の効果を得ることができる。
【００９２】
（３−１）トリガ受信部６０によって変調波のトリガ信号が受信されると、送信機用制御部２５は、記憶部２５ｂに記憶された応答送信の回数を含んだ信号を送信する。したがって、トリガ機５０を用いて無変調波の受信によりバッテリ３０の寿命に与えた影響を調査することができる。
【００９３】
（３−２）トリガ機５０を用いることで、任意のタイミングで応答送信の回数を調査することができる。
なお、実施形態は、以下のように変更してもよい。
【００９４】
・第１実施形態において、無変調波をトリガ信号とみなすか否かの判定は、応答送信の回数によって行われてもよい。送信機用制御部２５は、無変調波が受信されると、応答送信の回数（応答送信によって送信された信号の回数）を計数する。記憶部２５ｂは、応答送信の回数を記憶する。送信機用制御部２５は、計数された回数が所定回数に達すると、無変調波をトリガ信号とみなさずに処理を行う。なお、「所定回数」は、例えば、第１実施形態における所定時間、無変調波を受信した場合に応答送信が行われる回数である。
【００９５】
この場合、無変調波の受信時間に基づく無変調波をトリガ信号とみなすか否かの判定は、行われてもよいし、行われなくてもよい。無変調波の受信時間に基づく無変調波をトリガ信号とみなすか否かの判定が行われない場合、無変調波の受信時間は記憶部２５ｂに記憶されない。したがって、記憶部２５ｂは、無変調波の受信時間、及び、応答送信の回数の少なくとも一方を記憶するといえる。
【００９６】
なお、無変調波の受信時間が所定時間に達することを第１条件、応答送信の回数が所定回数に達することを第２条件とする。無変調波をトリガ信号とみなすか否かの判定を無変調波の受信時間、及び、応答送信の回数の両方で行う場合、送信機用制御部２５は、第１条件、及び、第２条件の両方が成立した場合に、無変調波はトリガ信号ではないとみなしてもよい。また、送信機用制御部２５は、第１条件、又は、第２条件のいずれかが成立した場合に、無変調波はトリガ信号ではないとみなしてもよい。
【００９７】
・第１実施形態において、無変調波をトリガ信号とみなすか否かの判定は、車両１０の停止中に無変調波を連続して受信した時間によって行われてもよいし、車両１０の停止中に無変調波を受信した時間の累計によって行われてもよい。
【００９８】
・第１実施形態において、無変調波をトリガ信号とみなさないことを車両１０に搭載された受信機４０に認識させるためのデータとして、車両１０が停止してから走行を再開するまでの無変調波の受信時間を送信してもよい。この場合、受信機用制御部４１は、無変調波の受信時間から、トリガ受信部６０によって受信された無変調波をトリガ信号とみなすか否かを判定する。即ち、無変調波をトリガ信号とみなすか否かの判定が受信機４０によって行われるようにしてもよい。また、無変調波をトリガ信号とみなさないことを車両１０に搭載された受信機４０に認識させるためのデータとして、車両１０が停止してから走行を再開するまでの応答送信の回数を送信してもよい。この場合、受信機用制御部４１は、応答送信の回数から、トリガ受信部６０によって受信された無変調波をトリガ信号とみなすか否かを判定する。
【００９９】
なお、第１実施形態においては、加速度センサ２４の検出結果から車両１０の走行を検出し、走行検出を契機としてフラグを含んだ信号が送信されるようにしている。したがって、フラグを含んだ信号は、加速度センサ２４の検出結果に対する所定条件の成立を契機として、送信されているといえる。
【０１００】
・第１実施形態において、トリガ受信部６０によって受信した無変調波をトリガ信号とみなさないと判定した場合、送信機用制御部２５は、応答送信を規制する状態に移行してもよい。応答送信の規制とは、応答送信の停止、応答送信を行う頻度の低下、応答送信の出力の低下、応答送信によって送信される信号のデータ長の短縮化など、バッテリ３０の電力消費を抑えられる態様を示す。なお、第２実施形態、及び、第３実施形態の送信機用制御部２５によって無変調波をトリガ信号とみなすか否かの判定が行われている場合、同様の制御が行われてもよい。
【０１０１】
・第１実施形態において、送信機用制御部２５は、車両１０の停止が検出される毎に、無変調波の受信時間を記憶部２５ｂから消去するように構成されていてもよい。
・第１実施形態において、無変調波をトリガ信号とみなすか否かの判定は、車両１０の走行中にも行われるようにしてもよい。
【０１０２】
・第１実施形態において、送信機用制御部２５が受信した無変調波をトリガ信号とみなさないと判定した場合、変調波のトリガ信号を受信したときに、フラグを含んだ信号をトリガ機５０に送信するようにしてもよい。また、送信機用制御部２５が受信した無変調波をトリガ信号とみなさないと判定した場合、電圧センサ２７によって検出される電圧が所定の電圧以下になると、フラグを含んだ信号を受信機４０に送信するようにしてもよい。
【０１０３】
・第１実施形態、及び、第２実施形態において、受信機用制御部４１は、ＥＣＵ１４など他の装置を介して、フラグや応答送信の回数を車両記憶部１５に記憶するように構成されていてもよい。
【０１０４】
・第２実施形態、及び、第３実施形態において、送信機用制御部２５は、応答送信の回数に代えて、無変調波をトリガ信号とみなさない（トリガ信号ではないとみなす）と判定した回数である判定回数を含んだ信号を送信してもよい。図８に示すように、上記した判定回数を含んだ信号としては、例えば、データとして、ＩＤコード、判定回数、ステータスコード、及び、誤り検出符号を含んだ信号である。送信機用制御部２５は、判定回数を含んだ信号を１回〜複数回送信する。
【０１０５】
送信機用制御部２５は、応答送信の回数を記憶部２５ｂに記憶しており、この応答送信の回数から無変調波をトリガ信号とみなすか否かを判定している。無変調波をトリガ信号とみなすか否かの判定は、前述したように応答送信の回数が所定回数に達したか否かにより行われる。送信機用制御部２５は、無変調波をトリガ信号とみなさないと判定した判定回数を記憶部２５ｂに記憶する。
【０１０６】
送信機用制御部２５は、第２実施形態における所定条件の成立を契機として、判定回数を含んだ信号を受信機４０に向けて送信回路２６から送信させる。
受信機用制御部４１は、判定回数を診断データとして車両記憶部１５に記憶する。車両記憶部１５には、無変調波をトリガ信号とみなさないと判定した回数が診断データとして記憶されることになる。スキャンツールを用いることで、無変調波の受信によりバッテリ３０の寿命に与えた影響を調査することができる。
【０１０７】
また、送信機用制御部２５は、判定回数の返送を要求する指令を含んだトリガ信号がトリガ受信部６０によって受信された場合、判定回数を含んだ信号をトリガ機５０に向けて送信回路２６から送信させるようにしてもよい。この場合、トリガ機５０の表示部５４に判定回数が表示される。トリガ機５０を用いることで、無変調波の受信によりバッテリ３０の寿命に与えた影響を調査することができる。
【０１０８】
また、無変調波をトリガ信号とみなすか否かの判定は、無変調波の受信時間によって行われてもよい。この場合、送信機用制御部２５は、無変調波の受信時間を記憶部２５ｂに記憶している。無変調波をトリガ信号とみなすか否かの判定は、第１実施形態と同様の制御によって行われる。
【０１０９】
・第２実施形態、及び、第３実施形態において、加速度センサ２４は設けられていなくてもよい。
・第２実施形態において、所定条件に代えて、所定間隔毎に応答送信の回数、又は、判定回数を含んだ信号を受信機４０に向けて送信するように送信機用制御部２５が構成されていてもよい。
【０１１０】
・第２実施形態において、加速度センサ２４の検出結果に対する所定条件の成立を契機として、応答送信の回数、又は、無変調波をトリガ信号とみなさないと判定した回数である判定回数を含んだ信号が送信されるようにしてもよい。具体的にいえば、送信機用制御部２５は、加速度センサ２４によって検出される遠心加速度が、閾値未満から閾値以上になると、応答送信の回数、又は、判定回数を含んだ信号を送信する。また、送信機用制御部２５は、加速度センサ２４によって検出される遠心加速度が、閾値以上から閾値未満になると、応答送信の回数、又は、判定回数を含んだ信号を送信するようにしてもよい。ここでいう閾値は、第１実施形態と同一の閾値である。即ち、送信機用制御部２５は、車両１０の走行、又は、車両１０の停止が検出されると、応答送信の回数、又は、判定回数を含んだ信号を送信することになる。受信機４０は、応答送信の回数を含んだ信号を受信すると、信号に含まれる応答送信の回数を診断データとして車両記憶部１５に記憶する。受信機４０は、判定回数を含んだ信号を受信すると、信号に含まれる判定回数を診断データとして車両記憶部１５に記憶する。なお、無変調波をトリガ信号とみなすか否かの判定は、応答送信の回数に基づいて行われてもよいし、受信時間に基づいて行われてもよい。
【０１１１】
・第２実施形態において、送信機用制御部２５は、適宜、記憶部２５ｂに記憶された応答送信の回数を消去してもよい。例えば、応答送信の回数を含んだ信号を送信した場合に記憶部２５ｂに記憶された応答送信の回数を消去してもよいし、応答送信の回数を含んだ信号の送信後、走行検出時などに記憶部２５ｂに記憶された応答送信の回数を消去するようにしてもよい。
【０１１２】
受信機４０は、応答送信の回数を含んだ信号を受信する度に車両記憶部１５に応答送信の回数を記憶していく。この回数を累計することで、バッテリ３０の使用開始から、バッテリ３０の寿命が尽きる前の応答送信の回数を把握することができる。同様に、第３実施形態においても、送信機用制御部２５は、適宜、記憶部２５ｂに記憶された応答送信の回数を消去してもよい。
【０１１３】
・第３実施形態において、送信機用制御部２５は、変調波のトリガ信号に応答して、受信機４０に応答送信の回数（又は判定回数）を含んだ信号を送信するようにしてもよい。また、送信機用制御部２５は、変調波のトリガ信号に応答して、受信機４０、及び、トリガ機５０の両方に応答送信の回数を含んだ信号を送信するようにしてもよい。この場合、応答送信の回数を含んだ信号として、受信機４０のプロトコルに対応したものと、トリガ機５０のプロトコルに対応したものが送信されることになる。
【０１１４】
・第２実施形態、及び、第３実施形態において、記憶部２５ｂには、無変調波の受信時間が記憶されていてもよい。記憶部２５ｂに記憶される受信時間は、バッテリ３０（送信機２１）の使用を開始してからの累計である。
【０１１５】
第２実施形態において、送信機用制御部２５は、所定条件の成立を契機として、受信時間を含んだ信号を受信機４０に向けて送信する。
第３実施形態において、送信機用制御部２５は、変調波のトリガ信号に応答して、トリガ機５０、及び、受信機４０の少なくとも一方に向けて受信期間を含んだ信号を送信する。受信時間が過多であれば、送信機２１がトリガ信号とは異なる無変調波をトリガ信号と誤認して受信したと推測することができる。
【０１１６】
・第２実施形態の処理と、第３実施形態の処理とを併用してもよい。即ち、送信機用制御部２５は、状態検出部の検出結果に対して設定された所定条件の成立、及び、トリガ受信部６０による変調波のトリガ信号の受信を契機として応答送信の回数を含んだ信号を送信するようにしてもよい。
【０１１７】
・各実施形態において、記憶部２５ｂとして不揮発性メモリを用いてもよい。第２実施形態において、記憶部２５ｂとして不揮発性メモリを用いる場合、バッテリ３０の寿命が尽きても記憶部２５ｂから応答送信の回数を読み取ることができる。このため、記憶部２５ｂとして不揮発性メモリを用いる場合、応答送信の回数を含んだ信号を受信機４０に送信しなくてもよい。
【０１１８】
・各実施形態において、走行検出部としては、ショックセンサ、角速度センサ、磁気センサなど加速度センサ２４以外のセンサを用いてもよい。
・各実施形態において、状態検出部としては、電圧センサ２７、及び、加速度センサ２４のうち一方が設けられていればよい。
【０１１９】
・各実施形態において、車両１０は、二輪車や、５つ以上の車輪１１を備える車両であってもよい。
【符号の説明】
【０１２０】
１０…車両、１１…車輪、１３…タイヤ、２０…タイヤ状態監視装置、２１…送信機、２２…圧力センサ、２３…温度センサ、２４…加速度センサ（状態検出部、及び、走行検出部）、２５…送信機用制御部（制御部）、２５ｂ…記憶部、２６…送信回路（送信部）、２７…電圧センサ（状態検出部）、３０…バッテリ、５０…トリガ機、６０…トリガ受信部。
【図１】
2019111330.tif 000003
【図２】
2019111330.tif 000004
【図３】
2019111330.tif 000005
【図４】
2019111330.tif 000006
【図５】
2019111330.tif 000007
【図６】
2019111330.tif 000008
【図７】
2019111330.tif 000009
【図８】
2019111330.tif 000010
【手続補正書】
【提出日】平成31年1月22日(2019.1.22)
【手続補正１】
【補正対象書類名】特許請求の範囲
【補正対象項目名】全文
【補正方法】変更
【補正の内容】
【特許請求の範囲】
【請求項１】
車両に設けられた複数の車輪のそれぞれに装着されるように構成され、かつ、トリガ機から送信されるトリガ信号に含まれる指令に応じた処理を行うように構成された送信機であって、
前記送信機は、
前記送信機の電力源となるバッテリと、
前記送信機の状態を検出するように構成された状態検出部と、
所定の受信強度以上の無変調波を前記トリガ信号として受信するように構成されたトリガ受信部と、
信号を送信するように構成された送信部と、
前記トリガ受信部によって前記無変調波が受信された場合に、当該無変調波に応答して前記送信部に前記信号を送信される応答送信を行うように構成された制御部と、
前記無変調波の受信時間、及び、前記応答送信の回数の少なくとも一方を記憶するように構成された記憶部と、
前記車両の走行と停止とを検出するように構成された走行検出部とを備え、
前記制御部は、
前記車両の停止中に前記トリガ受信部によって受信された前記無変調波を前記トリガ信号とみなすか否かを判定するように構成され、
前記車両の停止中に前記トリガ受信部によって受信された前記無変調波を前記トリガ信号とみなさないと判定した後に前記車両の走行が検出されると、前記車両に搭載された受信機に前記送信部から前記信号を送信させるように構成され、
当該信号には、前記車両の停止中に受信された前記無変調波を前記トリガ信号とみなさないことを前記受信機に認識させるためのデータが含まれている送信機。
を備える送信機。
【請求項２】
前記記憶部には少なくとも前記無変調波の受信時間が記憶され、
前記制御部は、
前記記憶部に記憶された前記無変調波の受信時間から、受信された前記無変調波を前記トリガ信号とみなすか否かを判定するように構成された請求項１に記載の送信機。
【請求項３】
前記記憶部には少なくとも前記応答送信の回数が記憶され、
前記制御部は、
前記記憶部に記憶された前記応答送信の回数から、受信された前記無変調波を前記トリガ信号とみなすか否かを判定するように構成された請求項１又は請求項２に記載の送信機。
【請求項４】
前記記憶部には少なくとも前記応答送信の回数が記憶され、
前記制御部は、
前記状態検出部の検出結果に対して設定された所定条件が成立した場合、前記応答送信の回数、又は、前記無変調波を前記トリガ信号とみなさないと判定した回数を含んだ前記信号を前記車両に搭載された受信機に向けて前記送信部から送信させるように構成された請求項１に記載の送信機。
【請求項５】
前記トリガ受信部は、変調波のトリガ信号を受信可能であり、
前記記憶部には少なくとも前記応答送信の回数が記憶され、
前記制御部は、
前記トリガ受信部によって受信された前記変調波のトリガ信号に応答して、前記応答送信の回数、又は、前記無変調波を前記トリガ信号とみなさないと判定した回数を含んだ前記信号を前記トリガ機、及び、前記車両に搭載された受信機のうち少なくとも一方に向けて前記送信部から送信させるように構成された請求項１に記載の送信機。
【請求項６】
車両に設けられた複数の車輪のそれぞれに装着されるように構成され、かつ、トリガ機から送信されるトリガ信号に含まれる指令に応じた処理を行うように構成された送信機と、前記車両に搭載された受信機と、を備えたタイヤ状態監視装置であって、
前記送信機は、
前記送信機の電力源となるバッテリと、
前記送信機の状態を検出するように構成され状態検出部と、
所定の受信強度以上の無変調波を前記トリガ信号として受信するように構成されたトリガ受信部と、
信号を送信するように構成された送信部と、
前記トリガ受信部によって前記無変調波が受信された場合に、当該無変調波に応答して前記送信部に前記信号を送信される応答送信を行うように構成された制御部と、
前記無変調波の受信時間、及び、前記応答送信の回数の少なくとも一方を記憶するように構成された記憶部と、
前記車両の走行と停止とを検出するように構成された走行検出部を備え、
前記制御部は、
前記車両の停止中に前記トリガ受信部によって受信された前記無変調波を前記トリガ信号とみなすか否かを判定するように構成され、
前記車両の停止中に前記トリガ受信部によって受信された前記無変調波を前記トリガ信号とみなさないと判定した後に前記車両の走行が検出されると、前記受信機に前記送信部から前記信号を送信させるように構成され、
当該信号には、前記車両の停止中に受信された前記無変調波を前記トリガ信号とみなさないことを前記受信機に認識させるためのデータが含まれており、
前記受信機は、
前記送信部から送信される信号を受信するように構成された受信部と、
前記受信機の制御を行うように構成された受信制御部と、を備え、
前記受信制御部は、
前記信号を受信すると、前記信号に含まれる前記データを車両に設けられた車両記憶部に記憶するように構成されたタイヤ状態監視装置。
【手続補正２】
【補正対象書類名】明細書
【補正対象項目名】００２０
【補正方法】変更
【補正の内容】
【００２０】
上記課題を解決するため、本発明の第二の態様によれば、車両に設けられた複数の車輪のそれぞれに装着されるように構成され、かつ、トリガ機から送信されるトリガ信号に含まれる指令に応じた処理を行うように構成された送信機と、前記車両に搭載された受信機と、を備えたタイヤ状態監視装置が提供される。前記送信機は、前記送信機の電力源となるバッテリと、前記送信機の状態を検出するように構成され状態検出部と、所定の受信強度以上の無変調波を前記トリガ信号として受信するように構成されたトリガ受信部と、信号を送信するように構成された送信部と、前記トリガ受信部によって前記無変調波が受信された場合に、当該無変調波に応答して前記送信部に前記信号を送信される応答送信を行うように構成された制御部と、前記無変調波の受信時間、及び、前記応答送信の回数の少なくとも一方を記憶するように構成された記憶部と、前記車両の走行と停止とを検出するように構成された走行検出部を備える。前記制御部は、前記車両の停止中に前記トリガ受信部によって受信された前記無変調波を前記トリガ信号とみなすか否かを判定するように構成される。前記車両の停止中に前記トリガ受信部によって受信された前記無変調波を前記トリガ信号とみなさないと判定した後に前記車両の走行が検出されると、前記受信機に前記送信部から前記信号を送信させるように構成される。当該信号には、前記車両の停止中に受信された前記無変調波を前記トリガ信号とみなさないことを前記受信機に認識させるためのデータが含まれている。前記受信機は、前記送信部から送信される信号を受信するように構成された受信部と、前記受信機の制御を行うように構成された受信制御部と、を備え、前記受信制御部は、前記信号を受信すると、前記信号に含まれる前記データを車両に設けられた車両記憶部に記憶するように構成されていてもよい。
【手続補正３】
【補正対象書類名】明細書
【補正対象項目名】００２２
【補正方法】削除
【補正の内容】
【手続補正４】
【補正対象書類名】明細書
【補正対象項目名】００２３
【補正方法】削除
【補正の内容】
【国際調査報告】
2019111330.tif 000011
2019111330.tif 000012
2019111330.tif 000013
2019111330.tif 000014
2019111330.tif 000015
2019111330.tif 000016